(57)【要約】【課題】演出制御基板と液晶表示装置とが整合していない場合にエラーを表示して、作業者の正確且つ迅速な対処を可能とする遊技機を提供する。【解決手段】液晶表示装置３６は、自身が対応しているドットクロック周波数を示す周波数情報を有している。そして、演出制御基板４３から出力される同期信号のドットクロック周波数と、液晶表示装置３６が対応しているドットクロック周波数とが整合しているか否かがＣＰＵによって判断され、整合していないと判断された場合には、液晶エラー表示部９１にエラーが表示される。また、演出制御基板４３から出力される周波数が周波数表示部９０に表示され、液晶表示装置３６の対応周波数が液晶表示装置３６の背面側に表示される。【選択図】図５
2008200414.tif 000002
【特許請求の範囲】
【請求項１】
特定のドットクロック周波数に合わせて送信される画像信号により駆動する液晶表示装置と、
遊技の主制御を司る主基板と、
当該主基板から送信される信号により制御され、所定のドットクロック周波数に合わせて前記液晶表示装置へ画像信号を出力する液晶表示制御装置とを備えた遊技機であって、
前記液晶表示制御装置が画像信号を出力する際のドットクロック周波数と、前記液晶表示装置が対応するドットクロック周波数とが整合しているか否かを判断する周波数整合判断手段と、
当該周波数整合判断手段による判断結果を表示する周波数整合表示手段と、
当該周波数整合表示手段の表示を制御する周波数整合表示制御手段とを備えたことを特徴とする遊技機。
【請求項２】
前記液晶表示装置は、自身が対応するドットクロック周波数を示す情報である周波数情報を記憶しており、
前記周波数整合判断手段は、前記周波数情報を参照してドットクロック周波数が整合しているか否かの判断を行うことを特徴とする請求項１に記載の遊技機。
【請求項３】
前記液晶表示制御装置は、
互いに異なるドットクロック周波数を発振する複数の発振器と、
画像信号を前記液晶表示装置に出力するコントローラと、
前記複数の発振器の内のいずれか１つを前記コントローラに接続して、当該発振器により発振されるドットクロック周波数を前記コントローラに与える発振器切替手段とを備え、
前記コントローラは、前記発振器切替手段により接続された前記発振器から発振されたドットクロック周波数に合わせて前記液晶表示装置に画像信号を出力することを特徴とする請求項１又は２に記載の遊技機。
【請求項４】
前記複数の発振器の内の１つを選択するための切替信号を記憶する切替信号記憶手段と、
当該切替信号記憶手段に記憶されている前記切替信号を前記発振器切替手段に送信する切替信号送信手段とを備え、
前記発振器切替手段は、前記切替信号送信手段から送信される前記切替信号に従って、前記コントローラに接続する前記発振器を切り替えることを特徴とする請求項３に記載の遊技機。
【請求項５】
前記液晶表示制御装置が画像信号を出力する際のドットクロック周波数の値を表示する出力周波数表示手段を備えたことを特徴とする請求項１乃至４のいずれかに記載の遊技機。
【請求項６】
前記出力周波数表示手段は、ドットクロック周波数の値を電気的に表示する表示装置であり、
前記出力周波数表示手段による表示を制御する出力周波数表示制御手段を備えたことを特徴とする請求項５に記載の遊技機。
【請求項７】
前記液晶表示装置には、自身が対応しているドットクロック周波数の値が表示されていることを特徴とする請求項１乃至６のいずれかに記載の遊技機。
【発明の詳細な説明】
【技術分野】
【０００１】
本発明は、液晶表示装置に表示される画像の制御を行う液晶表示制御装置を備えた遊技機に関する。
【０００２】
従来、遊技者が遊技媒体を多数獲得することができる大当たり遊技状態へ遊技機の状態が移行するか否かを、液晶表示装置を用いて表示する遊技機が知られている。例えば、パチンコ機の液晶表示装置では、図柄を変動状態から静止させることによって「大当たり」及び「はずれ」の判定結果を遊技者に報知する。そして、この判定結果の報知に同期させて、遊技性を高めるための演出等の様々な内容を表示させることで、遊技者の興趣を惹きつけている。また、スロットマシンにおいても、遊技者を楽しませるための様々な画像を液晶表示装置を用いて表示するものが多数提案されている。
【０００３】
このような液晶表示装置を備えた遊技機おいて、画像の表示を制御するための演出制御基板（液晶表示制御装置）を備えた遊技機が提案されている（例えば、特許文献１参照）。この演出制御基板は、画像の表示態様を選定するＣＰＵと、選定された表示態様を表示させるための画像データを生成して出力するＶＤＰ（Ｖｉｄｅｏ  Ｄｉｓｐｌａｙ  Ｐｒｏｃｅｓｓｏｒ）等のコントローラとを備えている。そして、遊技の進行を司る主基板から送信されるコマンドに基づいて、画像データを液晶表示装置へ出力する。
【０００４】
そして、演出制御基板にはドットクロック周波数を発振する発振器が備えられており、コントローラに接続されている。このコントローラは、発振器により発振されるドットクロック周波数を基準として、映像表示のタイミングを取るために必要な同期信号を画像データと共に液晶表示装置へ出力する。ここで、液晶表示装置を用いた画像の表示は遊技の中で非常に重要な位置を占めている。よって、表示される内容をいかに変化の富んだ面白みのある内容にするか、いかに美しく表示を行うか等の努力がなされてきた。さらに、迫力のある画像を表示するために、表示画面の大型化も図られてきた。そして、画像の表示に必要な同期信号は液晶表示装置の解像度によって異なり、液晶表示装置の解像度に適応したドットクロック周波数を発振する発振器が演出制御基板に備えられている。
【０００５】
また、解像度が異なる複数種類の液晶表示装置を制御するために、周波数が異なる複数の同期信号を出力可能とした演出制御基板が提案されている（例えば、特許文献２参照）。この演出制御基板によると、周波数設定データを変更することで、発振器により発振されるドットクロック周波数が周波数調整部において特定の周波数に調整され、これに基づいた同期信号が液晶表示装置へ出力される。これにより、演出制御基板の共通化を実現している。
【０００６】
また、発振するドットクロック周波数が異なる複数の発振器を備えることで、複数の同期信号を出力可能とした演出制御基板も提案されている（例えば、特許文献３参照）。この演出制御基板には複数の発振器が設けられており、映像表示プロセッサに接続される発振器を発振器選択スイッチによって切り替えることができるため、同期信号の周波数を液晶表示装置の解像度に合わせて変更することができる。
【特許文献１】特開２００１−１１３０１５号公報
【特許文献２】特開２００３−３２５８７１号公報
【特許文献３】特開２００５−３２３８２４号公報
【発明の開示】
【発明が解決しようとする課題】
【０００７】
しかしながら、このような従来の演出制御基板を備えた遊技機では、演出制御基板から出力される同期信号の周波数と、液晶表示装置の解像度とが整合していない場合には、表示される画像が乱れる等の不具合が生じるが、外見上は不具合の原因が分からなかった。従って、画像が乱れる原因を経験や経験に基づいて予想し、修理や設定変更、部品の交換等を行うしかなかったため、原因を正確且つ迅速に把握して適切な対応を行うことが困難であるという問題点があった。また、設定を変更することで複数種類の同期信号を出力可能な演出制御基板を用いた場合、演出制御基板と液晶表示装置との整合が複雑になるため、画像が乱れた際の原因の把握が難しいという問題点があった。
【０００８】
本発明は上記課題を解決するためになされたものであり、演出制御基板と液晶表示装置とが整合していない場合にエラーを表示して、作業者の正確且つ迅速な対処を可能とする遊技機を提供することを目的とする。
【課題を解決するための手段】
【０００９】
上記目的を達成するために、請求項１に記載の遊技機は、特定のドットクロック周波数に合わせて送信される画像信号により駆動する液晶表示装置と、遊技の主制御を司る主基板と、当該主基板から送信される信号により制御され、所定のドットクロック周波数に合わせて前記液晶表示装置へ画像信号を出力する液晶表示制御装置とを備えた遊技機であって、前記液晶表示制御装置が画像信号を出力する際のドットクロック周波数と、前記液晶表示装置が対応するドットクロック周波数とが整合しているか否かを判断する周波数整合判断手段と、当該周波数整合判断手段による判断結果を表示する周波数整合表示手段と、当該周波数整合表示手段の表示を制御する周波数整合表示制御手段とを備えている。
【００１０】
また、本発明の請求項２に記載の遊技機は、請求項１に記載の発明の構成に加え、前記液晶表示装置は、自身が対応するドットクロック周波数を示す情報である周波数情報を記憶しており、前記周波数整合判断手段は、前記周波数情報を参照してドットクロック周波数が整合しているか否かの判断を行うことを特徴とする。
【００１１】
また、本発明の請求項３に記載の遊技機は、請求項１又は２に記載の発明の構成に加え、前記液晶表示制御装置は、互いに異なるドットクロック周波数を発振する複数の発振器と、画像信号を前記液晶表示装置に出力するコントローラと、前記複数の発振器の内のいずれか１つを前記コントローラに接続して、当該発振器により発振されるドットクロック周波数を前記コントローラに与える発振器切替手段とを備え、前記コントローラは、前記発振器切替手段により接続された前記発振器から発振されたドットクロック周波数に合わせて前記液晶表示装置に画像信号を出力することを特徴とする。
【００１２】
また、本発明の請求項４に記載の遊技機は、請求項３に記載の発明の構成に加え、前記複数の発振器の内の１つを選択するための切替信号を記憶する切替信号記憶手段と、当該切替信号記憶手段に記憶されている前記切替信号を前記発振器切替手段に送信する切替信号送信手段とを備え、前記発振器切替手段は、前記切替信号送信手段から送信される前記切替信号に従って、前記コントローラに接続する前記発振器を切り替えることを特徴とする。
【００１３】
また、本発明の請求項５に記載の遊技機は、請求項１乃至４のいずれかに記載の発明の構成に加え、前記液晶表示制御装置が画像信号を出力する際のドットクロック周波数の値を表示する出力周波数表示手段を備えている。
【００１４】
また、本発明の請求項６に記載の遊技機は、請求項５に記載の発明の構成に加え、前記出力周波数表示手段は、ドットクロック周波数の値を電気的に表示する表示装置であり、前記出力周波数表示手段による表示を制御する出力周波数表示制御手段を備えている。
【００１５】
また、本発明の請求項７に記載の遊技機は、請求項１乃至６のいずれかに記載の発明の構成に加え、前記液晶表示装置には、自身が対応しているドットクロック周波数の値が表示されていることを特徴とする。
【発明の効果】
【００１６】
請求項１に記載の遊技機によると、液晶表示制御装置が画像信号を出力する際のドットクロック周波数と、液晶表示装置が対応するドットクロック周波数とが整合しているか否かが周波数整合判断手段によって判断され、その判断結果が周波数整合表示手段に表示される。よって、液晶表示制御装置の周波数と液晶表示装置の解像度とが整合せずに、乱れた画像が表示された場合でも、画像が乱れている原因を容易に把握することができる。従って、知識や経験を基に部品の交換や修理等を行う必要がなく、適切且つ迅速な対応を行うことができる。
【００１７】
また、本発明の請求項２に記載の遊技機は、請求項１に記載の発明の効果に加え、液晶表示装置が対応するドットクロック周波数を示す周波数情報が、あらかじめ液晶表示装置に記憶されているため、周波数整合判断手段は、この周波数情報を参照すれば容易に周波数が整合しているか否かの判断を行うことができる。
【００１８】
また、本発明の請求項３に記載の遊技機は、請求項１又は２に記載の発明の効果に加え、互いに異なるドットクロック周波数を発振する複数の発振器が液晶表示制御装置に備えられており、コントローラに接続される発振器が発振器切替手段によって切り替えられるため、複数のドットクロック周波数にて画像信号を出力することができる。従って、１つの液晶表示制御装置を、対応する周波数が異なる複数種類の液晶表示装置に共通して使用することができ、製造コストを削減することができる。また、周波数整合表示手段による表示を確認することで、液晶表示装置が対応する周波数に合わせて、発振器切替手段による切り替えを行うことができる。
【００１９】
また、本発明の請求項４に記載の遊技機は、請求項３に記載の発明の効果に加え、切替信号記憶手段に記憶されている切替信号によって、コントローラに接続される発振器が切り替えられるため、切替信号を変更するだけで、液晶表示制御装置から出力される同期信号のドットクロック周波数を変更することができる。従って、発振器自体を交換するよりもドットクロック周波数の切替を容易に行うことができる。
【００２０】
また、本発明の請求項５に記載の遊技機は、請求項１乃至４のいずれかに記載の発明の効果に加え、液晶表示制御装置から出力される同期信号のドットクロック周波数が出力周波数表示手段に表示されるため、この表示を確認することで周波数の不整合が生じる虞を低減させることができる。
【００２１】
また、本発明の請求項６に記載の遊技機は、請求項５に記載の発明の効果に加え、液晶表示制御装置から出力される同期信号のドットクロック周波数が電気的に表示されるため、様々な表示態様で周波数を表示することができる。また、周波数が異なる複数種類の同期信号を出力可能な液晶表示制御装置を用いた場合でも、周波数に応じた表示を行うことができる。さらに、シール等を用いて表示を行う場合に比べて、表示が消える等の事故が生じる可能性を低くすることができる。
【００２２】
また、本発明の請求項７に記載の遊技機は、請求項１乃至６のいずれかに記載の発明の効果に加え、液晶表示装置には、自身が対応しているドットクロック周波数の値が表示されるため、この表示を確認することで周波数の不整合が生じる虞を低減することができる。
【発明を実施するための最良の形態】
【００２３】
以下、本発明の第一の実施形態であるパチンコ機１について、図面を参照して説明する。まず、図１乃至図３を参照して、パチンコ機１の機械的構成について説明する。図１は、パチンコ機１の表枠１４及び中枠１３が開いた状態を斜め前方から見た斜視図であり、図２は、パチンコ機１の正面図であり、図３は、図柄表示装置８の正面図である。尚、以下の説明において、図２及び図３の紙面手前側を「パチンコ機１の正面側」、紙面奥行き側を「パチンコ機１の背面側」とする。
【００２４】
はじめに、パチンコ機１の概略構成について説明する。図１に示すように、パチンコ機１は、遊技場の島設備（図示外）に配設され、パチンコ機１の本体を支持する正面視略長方形状の外枠１２を備えている。外枠１２は、パチンコ機１の本体を支持し、遊技場の島設備（図示外）に取り付けられる枠部材である。この外枠１２は、外枠上柱部１２ａ、外枠右柱部１２ｂ、外枠左柱部１２ｃ、外枠下柱部１２ｄからなり、正面視略長方形状の枠を構成している。そして、このような構成からなる外枠１２の外枠左柱部１２ｃ近傍に、中枠１３の左柱部近傍が軸支されるようになっている。
【００２５】
この中枠１３は、正面視略長方形状の金属製のアングル部材からなる。この中枠１３の左柱部が、上ヒンジ２２及び下ヒンジ２１を介して外枠１２の外枠左柱部１２ｃ近傍に軸支させることにより、中枠１３が外枠１２に対して略水平方向に回動可能（開閉可能）となっている。そして、中枠１３が開閉されることによって、中枠１３の中枠右柱部１３ｂが外枠１２に対して着脱可能となっている。
【００２６】
一方、中枠１３の上半分には遊技盤２が固定されるための正面視略長方形状の遊技盤用開口部（図示外）が形成され、当該遊技盤用開口部に遊技盤２が配設されている。さらに、中枠１３の正面側における遊技盤２の下方には、発射機に遊技球を供給し、且つ賞品球を受け入れる上皿５が設けられており、上皿５の直下には、賞品球を受ける下皿６が設けられている。当該下皿６の右側には、発射機による遊技球の発射を調節する発射ハンドル７が設けられている。また、当該遊技盤２の正面側には、正面視略矩形状の表枠１４が設けられている。
【００２７】
そして、図１及び図２に示すように、中枠１３における上皿５の右側には鍵穴９が設けられており、この鍵穴９の背後にはシリンダ錠（図示外）が設けられている。この鍵穴９に鍵（図示外）を挿入し、挿入された鍵を反時計回りに回転させることにより、外枠１２に対して固定されていた中枠１３が略水平方向に回動可能となる。一方、挿入された鍵を時計回りに回転させることにより、中枠１３に対して表枠１４が略水平方向に回動可能となる。
【００２８】
また、図１に示すように、パチンコ機１の中枠１３の背面側にはセンターカバー２７が設けられており、当該パチンコ機１を構成する各部を制御するための後述する主基板４１、サブ統合基板５８、演出制御基板４３、電源基板４２等の多数の制御装置（図４参照）を保護している。そして、センターカバー２７の右側面には、演出制御基板４３が画像信号を出力する際のドットクロック周波数（以下、「周波数」という）を表示する周波数表示部９０と、演出制御基板４３と液晶表示装置３６（図２及び図３参照）との間で生じるエラーを表示する液晶エラー表示部９１とが設けられているが、この詳細は後述する。
【００２９】
また、センターカバー２７の下方には下部カバー２８が設けられており、パチンコ機１を動作させるための様々な部品が保護されている。さらに、センターカバー２７の上方には、遊技機設置島から供給される遊技球を貯留する遊技球タンク２９が設けられている。
【００３０】
次に、表枠１４について説明する。図２に示すように、表枠１４は正面視略長方形状であり、遊技盤２の遊技領域４を前側から視認し得るように、略中央に開口部が開設されている。この開口部には透明版であるガラス窓２３（図１参照）が嵌め込まれており、当該ガラス窓２３を介して遊技領域４を視認可能となっている。そして、表枠１４の表枠左側端部１４ａ（図１参照）が中枠１３の左柱部の近傍に軸支されることにより、表枠１４が中枠１３に対して略水平方向に回動可能（開閉可能）となっている。そして、表枠１４が開閉されることにより、表枠右側端部１４ｂ（図１参照）が中枠１３に対して着脱可能となっている。また、表枠１４の左上部にはスピーカ３２が、右上部にはスピーカ３３がそれぞれ配設されており、２つのスピーカ３２，３３は配線によってサブ統合基板５８（図４参照）に接続されている。そして、スピーカ３２，３３からはサブ統合基板５８の制御によって様々な音が発生する。また、表枠１４の前面には演出用の電飾ランプが多数設けられている。
【００３１】
次に、遊技盤２について説明する。発射ハンドル７の操作により、発射手段である発射機（図示外）から発射された遊技球が遊技盤２及びガラス窓２３によって形成された空間を流下する。この遊技盤２は、中枠１３の裏面側に固定された遊技盤固定枠の遊技盤用開口部（図示外）の正面側に支持され、ガラス窓２３を略中央に保持した表枠１４によって保護されている。図１に示すように、遊技盤２の正面には、外レール３に囲まれ、発射手段によって発射された遊技球が流下する正面視略円形状の遊技領域４が設けられている。
【００３２】
そして、図２に示すように、この遊技領域４の略中央には、液晶表示装置３６や各種ランプ及びＬＥＤを備えた図柄表示装置８が設けられている。また、この図柄表示装置８の下側には特別図柄始動電動役物１５が設けられており、当該特別図柄始動電動役物１５の左右には普通図柄始動ゲート１９，２０がそれぞれ配設されている。そして、普通図柄始動ゲート１９の左方には普通入賞口１０が、普通図柄始動ゲート２０の右方には普通入賞口１１が設けられている。さらに、特別図柄始動電動役物１５の下方には大入賞口１６が設けられており、当該大入賞口１６の下方には、何れの入賞口にも入賞しなかった遊技球が回収されるアウト口３０が設けられている。
【００３３】
次に、図柄表示装置８について説明する。図３に示すように、図柄表示装置８の下部には４つのＬＥＤから構成される特別図柄記憶数表示ＬＥＤ６０が設けられており、その右隣には、２つの７セグメントＬＥＤから構成される特別図柄表示部２５が設けられている。特別図柄表示部２５には、大当たり判定の判定結果を示す、２文字の数字からなる特別図柄が表示される。また、特別図柄記憶数表示ＬＥＤ６０には、特別図柄始動電動役物１５に入賞し、特別図柄表示部２５に大当たり判定の判定結果がまだ表示されていない遊技球の個数、所謂特別図柄作動保留球数が、点灯しているＬＥＤの数により４つまで表示される。
【００３４】
また、図柄表示装置８の上部には４つのＬＥＤから構成される普通図柄記憶数表示ＬＥＤ５９が設けられており、その上方には普通図柄表示部２４が設けられている。普通図柄表示部２４は１つのＬＥＤからなり、点灯状態が普通当たりの当選を示し、消灯が普通当たりの落選を示しており、点滅状態がこれから普通当たりの判定結果を報知することを示す変動状態とされている。また、普通図柄記憶数表示ＬＥＤ５９には、普通図柄始動ゲート１９，２０を通過し、普通図柄表示部２４の普通当たり判定の判定結果がまだ表示されていない遊技球の個数、所謂普通図柄作動保留球数が、点灯しているＬＥＤの数で表示される。
【００３５】
また、図柄表示装置８は、中央に液晶表示装置３６を備えている。この液晶表示装置３６には動画やメッセージ等様々な映像が表示されるが、特に大当たり判定の結果を報知するために、３つのデモ図柄を表示する。そして、このデモ図柄には、遊技者の目を惹くように特別図柄表示部２５に表示される特別図柄よりも大きい図柄が用いられている。
【００３６】
次に、液晶表示装置３６について説明する。液晶表示装置３６は、センターカバー２７（図１参照）内に設けられた演出制御基板４３（図４参照）から送信される画像データ及び同期信号により制御されて、遊技の進行に応じた映像を表示する。液晶表示装置は駆動方式の違いによりＣＭＯＳ、ＬＶＤＳ等に区分けされるが、本実施の形態ではＣＭＯＳデジタル方式の液晶表示装置３６を採用している。この液晶表示装置３６はアクティブマトリクス方式により駆動される表示装置であり、特に図示しないが、複数の画素がマトリクス状に形成されて液晶パネルを形成すると共に、スイッチング素子として機能するＴＦＴ（Ｔｈｉｎ  Ｆｉｌｍ  Ｔｒａｎｓｉｓｔｏｒ）が各画素に対応して配設されている。また、画像データを液晶パネルに表示させるためのゲートドライバ及びソースドライバが備えられており、ゲートドライバは、各ＴＦＴのオン・オフを切り替える。そして、ソースドライバはこのＴＦＴのオン・オフに同期して、画像データ（ＲＧＢデータ）に基づいたソース電圧をそれぞれの画素へ印加する。この操作を全ての画素に対して一巡させることで、液晶表示装置３６に１フレームの画像が表示され、複数のフレームを連続して次々と表示させることで動画像が表示される。
【００３７】
ここで、演出制御基板４３から液晶表示装置３６へ送信される同期信号は、発振器により発振されるドットクロック周波数が基準となり送信されるが、画像を表示するために必要なドットクロック周波数は、液晶表示装置３６の解像度によって異なる。例えば、表示解像度の規格の１つであるＶＧＡ（画素数６４０×４８０ピクセル）の画像表示に必要なドットクロック周波数は２５ＭＨｚであり、ＷＶＧＡ（画素数８００×４８０ピクセル）の画像表示に必要なドットクロック周波数は３３．３３３ＭＨｚである。
【００３８】
そして、液晶表示装置３６の背面側には液晶規格表示部（図示外）が設けられており、対応する周波数、メーカー名、画面サイズが刻印されている。これにより、パチンコ機１に対応していない液晶表示装置が誤って配設されることを防止している。また、第一の実施形態のパチンコ機１に備えられてた演出制御基板４３は、２５ＭＨｚの周波数を発振する発振器４３５と、３３．３３３ＭＨｚの周波数を発振する発振器４３６とを備えることで、２種類の解像度の液晶表示装置３６に対応できる構成となっているが、この詳細は後述する。
【００３９】
次に、周波数表示部９０及び液晶エラー表示部９１について説明する。図１に示すように、中枠１３の背面側に設けられたセンターカバー２７には、その右側面に、ＬＥＤからなる周波数表示部９０と、７セグメントＬＥＤからなる液晶エラー表示部９１とが設けられている。周波数表示部９０は緑及び赤のいずれかの色で発光することができ、演出制御基板４３から出力される同期信号の周波数が２５ＭＨｚである場合には緑で、３３．３３３ＭＨｚである場合には赤で発光する。また、液晶エラー表示部９１は、演出制御基板４３と液晶表示装置３６との間に不具合が生じた際に、エラー及びその内容を数字を用いて表示する。これらの表示方法については後述する。
【００４０】
次に、図４を参照して、パチンコ機１の電気的構成について説明する。図４は、パチンコ機１の電気的構成を示すブロック図である。図４に示すように、制御部４０は、主基板４１、電源基板４２、演出制御基板４３、払出制御基板４５、電飾基板４６、中継基板４７、エラー表示制御部４８及びサブ統合基板５８から構成されている。この制御部４０は、パチンコ機１の裏側（背面側）に設けられており、センターカバー２７（図１参照）によって保護されている。
【００４１】
パチンコ機１の主制御を司る主基板４１には、プログラムに従って各種の処理を行う主基板ＣＰＵユニット５０が設けられている。この主基板ＣＰＵユニット５０には、各種の演算処理を行うＣＰＵ５１と、フラグやカウンタ等の演算処理中に発生するデータの値等を一時的に記憶するＲＡＭ５２と、制御プログラム、各種データの初期値、他の基板への指示を行うコマンド等を記憶したＲＯＭ５３とが設けられており、これらは１つのＬＳＩとして一体にモールディングされている。また、ＣＰＵユニット５０には割込信号発生回路５７が接続され、この割込信号発生回路５７は、例えば、０．００２秒（以下、「２ｍｓ」と略す。）毎にＣＰＵ５１に割込信号を与えるようになっている。ＣＰＵ５１は、この割込信号が入力される毎にＲＯＭ５３に記憶されている制御プログラムを実行し、この制御プログラムに従ってパチンコ機１の制御を行う。
【００４２】
また、主基板４１にはＩ／Ｏインタフェイス５４が設けられており、サブ統合基板５８、払出制御基板４５、中継基板４７等のサブ基板、及び特別図柄始動電動役物１５に入賞した遊技球を検出する始動口スイッチ７２が接続されている。さらに、演出制御基板４３及び電飾基板４６はサブ統合基板５８に接続されている。尚、サブ統合基板５８にはＣＰＵ５８１、ＲＡＭ５８２及びＲＯＭ５８３が設けられており、スピーカ３２，３３が接続されている。そして、演出制御基板４３には表示制御ユニット４３０やＶＤＰ８０等が設けられており、この演出制御基板４３にはＣＰＵ４８１等を備えたエラー表示制御部４８が接続されているが、この詳細は図５を参照して後述する。
【００４３】
また、払出制御基板４５にはＣＰＵ４５ａや図示外の入力インタフェイス、ＲＡＭ及びＲＯＭが内蔵されており、電飾基板４６にはＣＰＵ４６ａや図示外の入力インタフェイス、ＲＡＭ及びＲＯＭが内蔵されている。また、主基板４１のＩ／Ｏインタフェイス５４には、図示外の遊技場管理用コンピュータにパチンコ機１の情報を出力する出力ポート５５が接続されている。
【００４４】
電飾基板４６には電飾ランプ６３が接続されており、演出制御基板４３には液晶表示装置３６、周波数表示部９０、及びエラー表示制御部４８が接続されている。そして、エラー表示制御部４８には液晶エラー表示部９１及び液晶表示装置３６が接続されている。さらに、中継基板４７には、大入賞口１６の開閉部材を開放・閉鎖する大入賞口開放ソレノイド７０、特別図柄始動電動役物１５の開閉部材を開放・閉鎖する電動役物開放ソレノイド７１、普通図柄始動ゲート１９，２０を通過した遊技球を検出する普通図柄作動スイッチ７３，７４、大入賞口１６に入賞した遊技球数を計数するためのカウントスイッチ７５、普通入賞口１０，１１に入賞した遊技球を検出するための入賞口スイッチ７６，７７、４個のＬＥＤから構成された普通図柄記憶数表示ＬＥＤ５９、４個のＬＥＤから構成された特別図柄記憶数表示ＬＥＤ６０、１つのＬＥＤで構成された普通図柄表示部２４、２つの７セグメントＬＥＤから構成された特別図柄表示部２５が接続されている。
【００４５】
そして、払出制御基板４５は賞品球払出装置４９の制御を行い、中継基板４７はスイッチやソレノイドの配線の中継、主基板４１から直接制御を受ける普通図柄記憶数表示ＬＥＤ５９、特別図柄記憶数表示ＬＥＤ６０、普通図柄表示部２４、特別図柄表示部２５への中継を行っている。また、サブ統合基板５８は演出制御基板４３、電飾基板４６、スピーカ３２，３３の総合的な制御を行っており、演出制御基板４３は、サブ統合基板５８からの各種コマンドを受けて、液晶表示装置３６に表示される映像やデモ図柄の制御を行うと共に、周波数表示部９０に同期信号の周波数を表示する制御を行う。また、エラー表示制御部４８は、演出制御基板４３及び液晶表示装置３６から出力される情報に基づいてエラーが発生しているか否かを判断し、エラーが発生している場合にはその内容を液晶エラー表示部９１に表示する。また、電源基板４２は主基板４１に接続され、各基板に直流の安定化した電力を供給している。
【００４６】
次に、図５を参照して、演出制御基板４３及びその周辺の制御回路の詳細について説明する。図５は、第一の実施形態のパチンコ機１における演出制御基板４３及びその周辺の制御回路の詳細を示すブロック図である。図５に示すように、演出制御基板４３には、表示制御ユニット４３０、画像表示プロセッサ（Ｖｉｄｅｏ  Ｄｉｓｐｌａｙ  Ｐｒｏｃｅｓｓｏｒ、以下「ＶＤＰ」という。）８０、ＶＲＡＭ８２、ＣＧＲＯＭ８３が備えられている。さらに、表示制御ユニット４３０は、表示制御ＣＰＵ４３１、表示制御ＲＡＭ４３２、表示制御ＲＯＭ４３３、発振器回路４３４が１つの部品として一体にモールディングされて形成されており、発振器回路４３４は第一発振器４３５、第二発振器４３６、アナログスイッチＩＣ４３８からなる。以下、演出制御基板４３の各構成要素について説明する。
【００４７】
まず、表示制御ユニット４３０の各構成要素について説明する。表示制御ＲＯＭ４３３には、液晶表示装置３６の表示を制御するための表示制御プログラムを記憶する表示制御プログラム記憶エリアや、画像の表示態様を制御するデータを記憶する表示制御データ記憶エリア等が設けられている。そして、接続されている表示制御ＣＰＵ４３１へ信号やデータを送信する。また、表示制御ＲＡＭ４３２には、各種カウンタを記憶するカウンタ記憶エリア、各種フラグを記憶するフラグ関係記憶エリア、ＶＤＰ８０へ送信するデータや信号を一時的に記憶する表示制御データ記憶エリア等が設けられており、表示制御ＣＰＵ４３１に接続されている。
【００４８】
また、表示制御ＣＰＵ４３１はサブ統合基板５８と接続されており、液晶表示装置３６の表示態様を制御する制御コマンドと、第一発振器４３５及び第二発振器４３６のいずれか一方を選択するための切替信号とをサブ統合基板５８から受信する。そして、受信した制御コマンドに基づいて画像の表示態様を選定し、選定した表示態様を表示させるための表示制御データを、接続されているＶＤＰ８０へ送信する。さらに、表示制御ＣＰＵ４３１はアナログスイッチＩＣ４３８、周波数表示部９０、及びエラー表示制御部４８のＣＰＵ４８１に接続されており、サブ統合基板５８から入力された切替信号や各種データを出力する。
【００４９】
また、発振器回路４３４は第一発振器４３５、第二発振器４３６及びアナログスイッチＩＣ４３８が組み合わされて、１つの部品として形成されている。第一発振器４３５は、ＶＧＡの画像表示に必要な２５ＭＨｚのドットクロック周波数を発振する。一方で、第二発振器４３６は、ＷＶＧＡの画像表示に必要な３３．３３３ＭＨｚのドットクロック周波数を発振する。そして、第一発振器４３５及び第二発振器４３６は、共にアナログスイッチＩＣ４３８に接続されており、電源供給時には常にドットクロック周波数の発振を行っている。
【００５０】
また、アナログスイッチＩＣ４３８は、表示制御ＣＰＵ４３１を経由して入力される切替信号に従って、第一発振器４３５及び第二発振器４３６のいずれか一方をＶＤＰ８０へ接続する。具体的には、表示制御ＣＰＵ４３１を経由して入力される切替信号は「０」又は「１」のいずれかであり、切替信号が「０」である場合には第一発振器４３５により発振される２５ＭＨｚのドットクロック周波数を、切替信号が「１」である場合には第二発振器４３６により発振される３３．３３３ＭＨｚのドットクロック周波数をＶＤＰ８０へ出力する。
【００５１】
ここで、アナログスイッチＩＣ４３８に入力される切替信号はサブ統合基板５８のＲＯＭ５８３（図４参照）に記憶されている切替信号により決定されるため、この演出制御基板４３を他のパチンコ機に配設して使用した場合には、配設されたパチンコ機のサブ統合基板に記憶されている切替信号に従ってアナログスイッチＩＣ４３８が切り替えられる。よって、演出制御基板４３は、配設されたパチンコ機のサブ統合基板に記憶されている切替信号に応じて、２種類のドットクロック周波数のいずれか一方をＶＤＰ８０に与えることができるため、解像度の異なる２種類の液晶表示装置を制御することができる。また、サブ統合基板５８のＲＯＭ５８３には、液晶表示装置３６に出力される同期信号のドットクロック周波数を示す周波数情報、パチンコ機１に接続される適切な液晶表示装置３６のメーカーの情報、及び適切な液晶表示装置３６の画面サイズの情報が記憶されており、これらの情報は表示制御ＣＰＵ４３１を経由してエラー表示制御部４８へ出力される。
【００５２】
次いで、ＶＤＰ８０について説明する。ＶＤＰ８０は、第一発振器４３５及び第二発振器４３６の内、アナログスイッチＩＣ４３８により接続されたいずれか一方の発振器により発振されたドットクロック周波数を基準として、映像表示のタイミングを取るために必要な同期信号を液晶表示装置３６へ送信する。そして、表示制御ＣＰＵ４３１から送信された表示制御データに応じて、ＣＧＲＯＭ８３から必要な画像生成データを読み出し、パチンコ機１の遊技状態に応じた画像データ（ＲＧＢデータ）を生成する。この画像データをＶＲＡＭ８２に展開して一時的に記憶させて、表示制御データに応じてＶＲＡＭ８２から画像データを読み出し、同期信号に合わせて液晶表示装置３６へ送信する。また、ＶＤＰ８０には、レジスタ等をチェックするためのＬＳＩが内蔵されている。
【００５３】
次に、図５を参照して、周波数表示部９０について説明する。周波数表示部９０は、緑又は赤の色で発光するＬＥＤからなり、センターカバー２７（図１参照）の側面に設けられている。この周波数表示部９０は、演出制御基板４３の表示制御ＣＰＵ４３１に接続されており、サブ統合基板５８のＲＯＭ５８３に記憶されている周波数情報が、表示制御ＣＰＵ４３１を介して周波数表示部９０へ入力される。そして、パチンコ機１へ電源が投入されると、周波数表示部９０は、表示制御ＣＰＵ４３１から入力される周波数情報が「０」である場合には、同期信号の周波数が２５ＭＨｚであることを示す緑に発光する。一方で、表示制御ＣＰＵ４３１から入力される周波数情報が「１」である場合には、同期信号の周波数が３３．３３３ＭＨｚであることを示す赤に発光する。
【００５４】
次に、図５を参照して、エラー表示制御部４８及び液晶エラー表示部９１の詳細について説明する。エラー表示制御部４８は、各種演算処理を行うＣＰＵ４８１と、データを一時的に記憶するＲＡＭ４８２と、制御プログラム等を記憶したＲＯＭ４８３を備えている。また、ＣＰＵ４８１は、演出制御基板４３の表示制御ＣＰＵ４３１、及び液晶表示装置３６に設けられたＩＤ情報格納部３６３に接続されている。そして、先述したように、サブ統合基板５８のＲＯＭ５８３には、パチンコ機１に接続されるべきである正規の液晶表示装置３６に関する周波数情報、メーカー情報、及び画面サイズ情報が記憶されており、これらの情報が表示制御ＣＰＵ４３１を経てエラー表示制御部４８のＣＰＵ４８１へ出力される。さらに、液晶表示装置３６に設けられたＩＤ情報格納部３６３には、液晶表示装置３６が対応する周波数情報、液晶表示装置３６のメーカー情報、及び画面サイズ情報が記憶されており、これらの情報もエラー表示制御部４８のＣＰＵ４８１へ出力される。尚、ＩＤ情報格納部３６３はＥＥＰＲＯＭやフラッシュＲＯＭ等で構成されている。
【００５５】
そして、エラー表示制御部４８のＣＰＵ４８１は、表示制御ＣＰＵ４３１から入力される周波数情報、メーカー情報、画面サイズ情報と、液晶表示装置３６のＩＤ情報格納部３６３から入力される周波数情報、メーカー情報、画面サイズ情報とが整合しているか否かの判断を行い、整合していない場合には、エラーの内容に応じた番号を液晶エラー表示部９１に表示させる。具体的には、周波数が異なる場合には「１」、メーカーが異なる場合には「２」、画面サイズが異なる場合には「３」、周波数及びメーカーが異なる場合には「４」、メーカー及び画面サイズが異なる場合には「５」、画面サイズ及び周波数が異なる場合には「６」、周波数、メーカー、画面サイズの全てが異なる場合には「７」を表示する。
【００５６】
以上説明したように、第一の実施形態のパチンコ機１によると、演出制御基板４３は２５ＭＨｚ及び３３．３３３ＭＨｚの２種類の周波数のいずれかで同期信号を出力することができ、周波数毎に異なる種類の演出制御基板を作成する必要がないため、汎用性がある。また、発振器４３５，４３６及びアナログスイッチＩＣ４３８は安価かつ単純な構造であるため、コスト及び作業工数を上げることなく複数のドットクロック周波数をＶＤＰ８０へ出力することができる。そして、演出制御基板４３から出力される同期信号の周波数と、液晶表示装置３６が対応している周波数とが整合していない場合には、エラー表示制御部４８３により周波数が整合していないと判断され、液晶エラー表示部９１にエラーが表示される。従って、画像が正常に表示されていない理由がすぐに分かり、修理や交換等の迅速な対応を行うことができる。
【００５７】
さらに、パチンコ機１には、配設されるべき適切な液晶表示装置３６のメーカー情報及び画面サイズ情報が記憶されているが、メーカー及び画面サイズが異なる液晶表示装置が配設された場合にもエラーが表示される。遊技機は、遊技場に設置する前に、液晶表示装置のメーカ、画面サイズ等を含めた多数の事項を所定の機関に申請する必要があり、許可が下りた遊技機のみ遊技場に設置することができる。ここで、遊技機の製造時等に、申請された液晶表示装置とは異なる種類の液晶表示装置が誤って遊技機に配設される場合があるが、この場合でも、周波数等の所定の条件が整合すると、画像は正常に表示されてしまう。従って、画像を見ただけでは、規定通りの液晶表示装置が配設されているか否かの判断は不可能である。そこで、本実施の形態のパチンコ機１では、サブ統合基板５８にあらかじめ設定されているメーカー及び画面サイズと、配設された液晶表示装置３６のメーカー及び画面サイズとが整合していない場合にエラーを表示する。これにより、設定とは異なる仕様のパチンコ機１が遊技場に設置されることを防止することができる。また、ＩＤ情報格納部３６３としてＲＯＭを使用しているため、様々なＩＤ情報を記憶させることで、演出制御基板４３と液晶表示装置３６との整合性の判断をより正確に行うことができる。
【００５８】
また、演出制御基板４３から液晶表示装置３６へ出力される同期信号の周波数が周波数表示部９０に電気的に表示されるため、周波数の異なる複数種類の同期信号を出力することが可能な演出制御基板４３であっても、現在出力している同期信号の周波数を正確に表示することができる。さらに、液晶表示装置３６の背面側には、対応する周波数、メーカー名、画面サイズが刻印されている。従って、作業者は周波数表示部９０の表示と液晶表示装置３６の背面側の表示とを照らし合わせることができるため、設定とは異なる液晶表示装置が誤って配設される可能性を低くすることができる。
【００５９】
尚、第一の実施形態の演出制御基板４３が本発明の「液晶表示制御装置」に相当する。また、演出制御基板４３と液晶表示装置３６との間で周波数が整合しているか否かを判断するエラー表示制御部４８のＣＰＵ４８１が、「周波数整合判断手段」に相当する。また、液晶エラー表示部９１が「周波数整合表示手段」に相当し、液晶エラー表示部９１の表示を制御するエラー表示制御部４８のＣＰＵ４８１が「周波数整合表示制御手段」に相当する。また、ＶＤＰ８０が「コントローラ」に相当し、アナログスイッチＩＣ４３８が「発振器切替手段」に相当し、周波数表示部９０が「出力周波数表示手段」に相当する。また、サブ統合基板５８のＲＯＭ５８３が「切替信号記憶手段」に相当し、表示制御ＣＰＵ４３１が「出力周波数表示制御手段」に相当する。
【００６０】
次に、本発明の第二の実施形態であるパチンコ機２００について、図６を参照して説明する。図６は、第二の実施形態のパチンコ機２００における演出制御基板４３、中間基板１１０及びその周辺の制御回路の詳細を示すブロック図である。
【００６１】
尚、第二の実施形態であるパチンコ機２００では、第一の実施形態のパチンコ機１とは異なり、演出制御基板４３と液晶表示装置３６とで周波数及び画面サイズが整合しているか否かの判断を、演出制御基板４３の表示制御ＣＰＵ４３１が行う。また、液晶表示装置３６は、自身が対応する周波数を示すＩＤ情報と、自身の画面サイズを示すＩＤ情報とを有しており、これらのＩＤ情報が、液晶表示装置３６と演出制御基板４３との間に配置された中間基板１１０内のＩ／Ｏインタフェイス１１１によって変換されて、表示制御ＣＰＵ４３１へ出力される。尚、第二の実施形態であるパチンコ機２００の構成要素は、中間基板１１０が設けられている点、及びエラー表示制御部４８が無い点以外は、第一の実施形態であるパチンコ機１と同じである。よって、パチンコ機１と共通する構成要素については同一の符号を付し、図１乃至図３に示す機械的構成の説明、及び図４に示す電気的構成に説明についてはこれを省略する。
【００６２】
まず、中間基板１１０について説明する。液晶表示装置３６と演出制御基板４３との間には、中間基板１１０が配置されている。この中間基板１１０にはＩ／Ｏインタフェイス１１１が設けられており、ＶＤＰ８０と液晶表示装置３６との間、及び表示制御ＣＰＵ４３１と液晶表示装置３６との間の信号の中継を行っている。
【００６３】
次いで、液晶表示装置３６が有する周波数情報及び画面サイズ情報について説明する。パチンコ機２００の液晶表示装置３６は、自身が対応する周波数が２５ＭＨｚであるか、３３．３３３ＭＨｚであるかを示す周波数情報と、自身の画面サイズが７インチであるか、９インチであるかを示す画面サイズ情報とを有している。そして、周波数情報出力線１１５が電源電位に接続されている場合には対応周波数が２５ＭＨｚであることを示し、グランド電位に接続されている場合には対応周波数が３３．３３３ＭＨｚであることを示す。また、画面サイズ情報出力線１１６が電源電位に接続されている場合には画面サイズが７インチであることを示し、グランド電位に接続されている場合には画面サイズが９インチであることを示す。本実施の形態の液晶表示装置３６は、対応周波数が２５ＭＨｚ、画面サイズが９インチであるため、周波数情報出力線１１５は電源電位に、画面サイズ情報出力線１１６はグランド電位に接続されている。
【００６４】
そして、周波数情報出力線１１５及び画面サイズ情報出力線１１６から出力される信号は、中間基板１１０のＩ／Ｏインタフェイス１１１において、表示制御ＣＰＵ４３１で処理可能な信号形式に変換された後、表示制御ＣＰＵ４３１へ入力される。
【００６５】
次いで、液晶エラー表示部９１におけるエラー表示の方法について説明する。サブ統合基板５８のＲＯＭ５８３には、パチンコ機２００に接続されるべきである正規の液晶表示装置３６に関する周波数情報及び画面サイズ情報が記憶されており、これらの情報は表示制御ＣＰＵ４３１へ入力される。また、液晶表示装置３６が有する周波数情報及び画面サイズ情報も、中間基板１１０を介して表示制御ＣＰＵ４３１に入力される。そして、表示制御ＣＰＵ４３１は、サブ統合基板５８から入力される周波数情報及び画面サイズ情報と、液晶表示装置３６から入力される周波数情報及び画面サイズ情報とが整合しているか否かの判断を行い、整合していない場合には、エラーの内容に応じた番号を液晶エラー表示部９１に表示させる。
【００６６】
次いで、液晶表示装置３６におけるエラー表示の方法について説明する。液晶表示装置３６が対応する周波数と、演出制御基板４３の周波数とが異なる場合には、液晶表示装置３６には正常な画像が表示されない。しかし、周波数が整合している場合には、サブ統合基板５８にあらかじめ記憶されている正規の画面サイズと、実際に配設された液晶表示装置３６の画面サイズとが異なっていても、画像が乱れることは無い。そこで、表示制御ＣＰＵ４３１は、周波数が整合しており、且つ画面サイズが異なる場合には、画面サイズのエラーを表示させる表示制御データをＶＤＰ８０へ送信する。この表示制御データを受信したＶＤＰ８０は、ＣＧＲＯＭ８３から画面サイズエラーの表示に関する画像生成データを読み出し、画像データを生成してＶＲＡＭ８２に展開して、液晶表示装置３６へ送信する。すると、液晶表示装置３６には「サイズの異なる画面が接続されています」というエラーメッセージが表示される。これにより、周波数が整合しており、且つ画面サイズが異なる場合には、液晶エラー表示部９１によるエラー表示に加えて、液晶表示装置３６においてもエラーが表示される。
【００６７】
以上説明したように、第二の実施形態のパチンコ機２００によると、液晶表示装置３６の表示を正確に行うことができる場合、すなわち、演出制御基板４３の周波数と液晶表示装置３６の周波数とが整合している場合には、液晶エラー表示部９１によるエラー表示に加えて、液晶表示装置３６を用いてエラー内容を表示することができる。従って、使用者はより迅速且つ確実にエラーの発生を把握することができる。また、液晶表示装置３６のＩＤ情報（周波数情報及び画面サイズ情報）が簡易な構成で記憶されているため、ＩＤ情報を記憶させたＲＯＭ等を液晶表示装置３６に設ける場合よりもコストを削減することができる。また、液晶エラー表示部９１の表示を表示制御ＣＰＵ４３１が兼ねているため、液晶エラー表示部９１を制御するＣＰＵ等のコントローラを別に設ける場合に比べて安価に製造できる。
【００６８】
尚、第二の実施形態では、演出制御基板４３と液晶表示装置３６との間で周波数が整合しているか否かを判断する表示制御ＣＰＵ４３１が、本発明の「周波数整合判断手段」に相当する。また、液晶エラー表示部９１の表示を制御する表示制御ＣＰＵ４３１が「周波数整合表示制御手段」に相当する。
【００６９】
尚、本発明は、上記実施の形態に限定されることなく、様々な変形が可能であることは言うまでもない。ここで、図７を参照して、第一及び第二の実施形態の変形例であるパチンコ機３００について説明する。図７は、変形例であるパチンコ機３００における演出制御基板４３及びその周辺の構成の詳細を示すブロック図である。図７に示すように、１つの発振器５３６により発振される周波数を、逓倍回路５３８及び分周回路５３９により調整してＶＤＰ８０に伝える構成の発振器回路５３４を備えた演出制御基板４３であっても本発明が適用できる。この場合、サブ統合基板５８のＲＯＭ５８３に記憶されている情報に基づいて、表示制御ＣＰＵ４３１から逓倍回路５３８に逓倍率の信号が、分周回路５３９に分周比の信号が送信される。そして、逓倍回路５３８及び分周回路５３９は、入力された信号に従って、発振器５３６から発振されたドットクロック周波数を変更し、ＶＤＰ８０へ伝える。この構成により、サブ統合基板５８のＲＯＭ５８３に記憶されている情報を変更するだけで、多くの種類のドットクロック周波数をＶＤＰ８０に伝えることができる。
【００７０】
また、図７に示すように、中間基板を設けずに、Ｉ／Ｏインタフェイス５５１及びＲＯＭ５５０を液晶表示装置３６と一体に構成することもできる。このようにすれば、中間基板と液晶表示装置３６とを接続する手間が省けるため、作業効率を向上させることができる。さらに、液晶表示装置３６の規格と、ＲＯＭに記憶されている情報とを確実に一致させることができる。また、液晶表示装置３６に設けられたＲＯＭ５５０にＩＤ情報として記憶されている周波数情報に基づいて、ドットクロック周波数を切り替えるための信号を表示制御ＣＰＵ４３１から出力させることもできる。また、画像を表示するために必要な様々な情報、具体的には、画面サイズの情報、画素数の情報、画素ピッチの情報、カラーフィルタ配置の情報、表示モード、内蔵されているインタフェイスの情報、表面偏光板やバックライト等に関する情報、駆動電圧の情報等をこのＲＯＭ５５０に記憶させることもできる。この場合、液晶表示装置３６を駆動させるために必要な情報が、サブ統合基板５８及び演出制御基板４３に記憶されていない場合であっても、ＲＯＭ５５０に記憶されている情報に従って液晶表示装置３６を駆動させることができる。例えば、演出制御基板４３の表示制御ＲＯＭ４３３に記憶させる情報は、ＶＧＡやＷＶＧＡ等、広く普及している規格の液晶表示装置を駆動させるための情報とすることが一般的である。この場合、特殊な規格の液晶表示装置を駆動させることができない。しかし、液晶表示装置を駆動させるために必要な情報を液晶表示装置３６のＲＯＭ５５０に記憶させることによって、１つの演出制御基板４３でより多くの種類の液晶表示装置を駆動させることができる。
【００７１】
また、図７に示すように、液晶エラー表示部９１を設けずに、周波数表示部９０を用いて液晶表示装置３６のエラーを表示させることもできる。例えば、第一及び第二の実施形態では、演出制御基板４３から出力される同期信号の周波数が２５ＭＨｚであれば周波数表示部９０は緑で、３３．３３３ＭＨｚであれば周波数表示部９０は赤で点灯するのみである。これに対して、変形例であるパチンコ機３００では、液晶表示装置３６に関する周波数不整合等のエラーが発生した場合には、さらに周波数表示部９０を点滅させることでエラーを表示させる。これにより、部品点数を削減することができる。尚、図７に示すパチンコ機３００における周波数表示部９０が、本発明の「周波数整合表示手段」及び「出力周波数表示手段」に相当する。
【００７２】
また、周波数表示部９０及び液晶エラー表示部９１は遊技盤２の背面側に１つずつ設けられているが、これを変更することもできる。例えば、表枠１４の前面に設けられている電飾ランプの一部を周波数表示部９０とすることもできるし、遊技盤２の表側及び背面側の２箇所に周波数表示部９０を設けてもよい。また、液晶エラー表示部９１を演出制御基板４３の表面に直接設けてもよいし、払出制御基板４５に関するエラーの表示部等、他のエラーを表示する表示部を利用して液晶表示装置３６に関するエラーを表示することもできる。そして、周波数表示部９０をＬＥＤにより構成して、点滅や色の変更等でエラーを表示してもよいし、７セグメントＬＥＤからなる周波数表示部９０において、数字によって表示されるエラー内容を変更できることは言うまでもない。さらに、液晶エラー表示部９１によるエラー表示に加えて、エラー音を発生させたり、電飾ランプを点滅させたりすることもできる。この場合、液晶に関するエラーの発生をより確実に使用者等に報知することができる。
【００７３】
また、第二の実施形態では、周波数が整合しており、且つ画面サイズが異なる場合には、液晶エラー表示部９１によるエラー表示に加えて、液晶表示装置３６においてもエラーが表示されるが、これを変更することもできる。例えば、エラーが発生した際には、表示制御ＣＰＵ４３１からＶＤＰ８０への表示制御データの送信を禁止して、液晶表示装置３６には画像が全く表示されない構成とすることもできる。これにより、液晶表示装置３６を見ることでエラーが発生しているか否かの判断を行うことができる。また、図７に示す変形例において、周波数表示部９０を設けずに、液晶表示装置３６だけを用いてエラーを報知することもできる。具体的には、周波数や画面サイズ等が整合していないと表示制御ＣＰＵ４３１によって判断された場合には、ＶＤＰ８０への表示制御データの送信を禁止して、液晶表示装置３６への画像の表示を行わない構成とする。一方で、周波数や画面サイズ等が整合した場合のみ画像を表示させる。この構成により、周波数等が整合しているか否かが表示され、この場合は液晶表示装置３６が本発明の「周波数整合表示手段」に相当する。
【００７４】
また、液晶表示装置３６が有するＩＤ情報は、第一の実施形態では周波数情報、メーカー情報、画面サイズ情報であり、第二の実施形態では周波数情報及び画面サイズ情報であるが、これを変更することもできる。例えば、周波数が整合していない場合のみエラーを表示する場合には、液晶表示装置３６には周波数情報のみを記憶させればよいし、逆に、画素数の情報、画素ピッチの情報、駆動電圧の情報等、記憶させる情報を増やしてもよい。
【００７５】
また、図７に示す液晶表示装置３６に設けられている、画像表示に必要な情報を記憶したＲＯＭ５５０を、図６に示す中間基板１１０に内蔵させることもできる。この場合にも、先述した図７に示すＲＯＭ５５０や、図５に示すＩＤ情報格納部３６３と同様に、画面サイズの情報、画素数の情報、画素ピッチの情報、カラーフィルタ配置の情報、表示モード、内蔵されているインタフェイスの情報、表面偏光板やバックライト等に関する情報、駆動電圧の情報等の中から、記憶させる情報を適宜選択することができる。そして、中間基板１１０はコネクタ等によって、演出制御基板４３に着脱可能に設けられている。従って、ＲＯＭ５５０に記憶されていない表示情報が必要な液晶表示装置を演出制御基板４３へ接続する場合には、その液晶表示装置に適した情報が記憶されたＲＯＭを有する中間基板を介して、液晶表示装置と演出制御基板４３とを接続すればよい。従って、ＲＯＭ５５０の記憶内容や、演出制御基板４３の表示制御ＲＯＭ４３３の記憶内容をわざわざ変更・追加することなく、中間基板を変更するだけで画像を表示することができる。よって、演出制御基板と液晶表示装置との接続方法を多様化することができ、演出制御基板側の情報と、液晶表示装置の動作に必要な情報とを容易に一致させることができる。すなわち、演出制御基板４３に容易に互換性を持たせることができる。そして、このＲＯＭ５５０を中間基板１１０や液晶表示装置３６等に設けた場合には、演出制御基板４３内の表示制御ＲＯＭ４３３を設けなくても画像を表示させることができる。
【００７６】
また、液晶表示装置３６の背面側には液晶規格表示部が設けられており、刻印により各情報が表示されているが、各情報を記載したシールを貼付する等、他の方法を用いて液晶表示装置３６の規格を表示することもできる。また、演出制御基板４３から出力される同期信号の周波数が１種類である場合には、ＬＥＤからなる周波数表示部９０を用いずに、刻印やシールにより演出制御基板の周波数を表示することもできる。この場合、演出制御基板の周波数を確認する際、パチンコ機に電源を入れる必要がないため、作業効率が向上する。
【００７７】
また、第一及び第二の実施形態では、ＶＤＰ８０へ接続される発振器の切り替えが、切替信号によって制御されるアナログスイッチＩＣ４３８によって行われるが、切り替えがトグルスイッチ等によって行われる構成の液晶制御基板を用いたパチンコ機にも適用できる。
【産業上の利用可能性】
【００７８】
本発明の遊技機は、パチンコ機に限られず、パチコン機、パチスロ機等の各種遊技機及びその液晶表示制御装置に適用可能である。
【図面の簡単な説明】
【００７９】
【図１】パチンコ機１の表枠１４及び中枠１３が開いた状態を斜め前方から見た斜視図である。
【図２】パチンコ機１の正面図である。
【図３】図柄表示装置８の正面図である。
【図４】パチンコ機１の電気的構成を示すブロック図である。
【図５】第一の実施形態のパチンコ機１における演出制御基板４３及びその周辺の構成の詳細を示すブロック図である。
【図６】第二の実施形態のパチンコ機２００における演出制御基板４３、中間基板１１０及びその周辺の構成の詳細を示すブロック図である。
【図７】変形例であるパチンコ機３００における演出制御基板４３及びその周辺の構成の詳細を示すブロック図である。
【符号の説明】
【００８０】
１，２００，３００    パチンコ機
２７    センターカバー
３６    液晶表示装置
４１    主基板
４３    演出制御基板
４８    エラー表示制御部
５８    サブ統合基板
８０    ＶＤＰ
９０    周波数表示部
９１    液晶エラー表示部
１１０    中間基板
１１１    Ｉ／Ｏインタフェイス
１１５    周波数情報出力線
１１６    画面サイズ情報出力線
３６３    ＩＤ情報格納部
４３１    表示制御ＣＰＵ
４３２    表示制御ＲＡＭ
４３３    表示制御ＲＯＭ
４３５    第一発振器
４３６    第二発振器
４３８    アナログスイッチＩＣ
４８１    ＣＰＵ
５３６    発振器
５５０    ＲＯＭ
５８１    ＣＰＵ
５８２    ＲＡＭ
５８３    ＲＯＭ
【図１】
2008200414.tif 000003
【図２】
2008200414.tif 000004
【図３】
2008200414.tif 000005
【図４】
2008200414.tif 000006
【図５】
2008200414.tif 000007
【図６】
2008200414.tif 000008
【図７】
2008200414.tif 000009